(57)【要約】【課題】荒天時でも、漁網の積み作業が安全で、短時間に行なえ、船の安定性も向上でき、更には揚網時に漁網の捩れを最小限にすることも可能な揚網補助ローラ装置及び揚網方法を提供する。【解決手段】傾動マスト１７の中間部にピン継手２０を介して股部４０が取付けられ、下側に股部４０の左右端に連結される左脚部４１及び右脚部４２を備えた吊下げ部材２２と、左脚部４１及び右脚部４２の下部にそれぞれ回転可能に取付けられた左鍔付きローラ４３及び右鍔付きローラ４４とを備え、しかも、左脚部４１及び右脚部４２のいずれか一方又は双方に、その上部位置又は中間位置で油圧駆動源４８によってその下側部分が外側に折れ曲がる中折れ部４７を有し、中折れ部４７が直線状となった状態で左右に分割された左鍔付きローラ４３と右鍔付きローラ４４が一体となって、漁網１２をガイドする揚網補助ローラ２２となり、中折れ部４７でその下側部分が外側に折れ曲がって、ガイドされていた漁網１２を揚網補助ローラ２２から落下させる。【選択図】図３
2010068737.tif 000002
【特許請求の範囲】
【請求項１】
先部に揚網機が取付けられた傾動マストの中間部に配置されて、前記揚網機で揚げた漁網をガイドする揚網補助ローラ装置であって、
前記傾動マストの中間部にピン継手を介して股部が取付けられ、下側に該股部の左右端に連結される左脚部及び右脚部を備えた吊下げ部材と、前記左脚部及び前記右脚部の下部にそれぞれ回転可能に取付けられた左鍔付きローラ及び右鍔付きローラとを備え、しかも、前記左脚部及び前記右脚部のいずれか一方又は双方に、その上部位置又は中間位置で油圧駆動源によってその下側部分が外側に折れ曲がる中折れ部を有し、
前記中折れ部が中折れしない状態で左右に分割された前記左鍔付きローラと前記右鍔付きローラが一体となって、前記漁網をガイドする揚網補助ローラとなり、前記中折れ部でその下側部分が外側に折れ曲がって、ガイドされていた前記漁網を前記揚網補助ローラから落下させることを特徴とする揚網補助ローラ装置。
【請求項２】
請求項１記載の揚網補助ローラ装置において、前記左鍔付きローラ及び前記右鍔付きローラのいずれか一方は、油圧モータにより回転駆動され、他方は自由に回転可能であることを特徴とする揚網補助ローラ装置。
【請求項３】
請求項１記載の揚網補助ローラ装置において、前記左鍔付きローラ及び前記右鍔付きローラの双方は、油圧モータにより回転駆動されていることを特徴とする揚網補助ローラ装置。
【請求項４】
請求項１〜３のいずれか１項に記載の揚網補助ローラ装置において、前記吊下げ部材は、前記傾動マストに基部が取付けられ、第１の油圧シリンダによってその取付け角度が変わるスイングアームの先部に前記ピン継手を介して取付けられていることを特徴とする揚網補助ローラ装置。
【請求項５】
請求項４記載の揚網補助ローラ装置において、前記スイングアームは、前記傾動マストの直下位置の範囲で傾動し、前記揚網補助ローラを前記傾動マストに沿って移動可能としていることを特徴とする揚網補助ローラ装置。
【請求項６】
請求項４及び５のいずれか１項に記載の揚網補助ローラ装置において、前記ピン継手は、該ピン継手の第１のピンと直交する第２のピンによって前記スイングアームの先部に取付けられ、しかも前記ピン継手は第２の油圧シリンダによって前記第２のピンを中心として回動可能に前記スイングアームの先部に取付けられていることを特徴とする揚網補助ローラ装置。
【請求項７】
請求項１〜６のいずれか１項に記載の揚網補助ローラ装置において、前記揚網補助ローラは、中央のローラ部の中心で前記左鍔付きローラと前記右鍔付きローラとに分離されていることを特徴とする揚網補助ローラ装置。
【請求項８】
請求項１〜６のいずれか１項に記載の揚網補助ローラ装置において、前記揚網補助ローラは、中央のローラ部の中心より右側又は左側に偏って前記左鍔付きローラと前記右鍔付きローラとに分離されていることを特徴とする揚網補助ローラ装置。
【請求項９】
先部に揚網機が取付けられた傾動マストの中間部に、請求項１〜８のいずれか１項に記載の揚網補助ローラ装置を設け、漁網を前記揚網機を介して網台の船首側から船尾側に複数山に積み重ね、前記漁網を前記網台の船尾側に積み重ねる場合には、前記揚網補助ローラを前記左鍔付きローラと前記右鍔付きローラに分離し、前記漁網を前記揚網補助ローラから外し、前記揚網機を用いて揚網作業を行うことを特徴とする揚網方法。
【発明の詳細な説明】
【技術分野】
【０００１】
本発明は、海に投下された漁網を傾動マストの先部に設けられた揚網機で引き上げる際に使用する揚網補助ローラ装置及びこれを用いた揚網方法に関する。
【背景技術】
【０００２】
従来、漁網を揚網する作業は、多くの作業者が必要であり、しかも、重筋作業であるため、揚網作業の自動化により、作業者の大幅な削減を図り、労働時間の短縮を図る揚網機やその操業方法が開示されている（例えば、特許文献１参照）。
ところで、例えば、海外巻網漁船において、揚網機（パワーブロック）を用いて網台の所定位置に漁網を降ろして積み重ねるためには、揚網機を先端部に取付けている傾動マストを傾動させて、揚網機の巻胴を介して漁網を順次、広げながら船首側から船尾側に向けて積むようになっている。このため、積み始めは、傾動マストの水平方向に対する傾動角度が最大となり、漁網が船尾側に近づくに従って、傾動マストの傾動角度を小さくしている。
【０００３】
ところが、揚網作業の始めには、揚網機は網台上方の一番高い位置（例えば、１５〜１８ｍの高さ）にあるため、荒天操業時には強風（例えば、風速１０〜１５ｍ／秒）により漁網があおられるので、揚網機下で降下してくる漁網を広げて並べる作業は重労働となり、漁網の積み作業がスムーズに行なえず、時間がかかり、場合によっては、危険な作業となることもあった。しかも、揚網機及び傾動マストの重心位置が高くなるため、船の安定性が悪くなるという問題もあった。
なお、揚網機をマストの先部から中間部まで移動させる直線ガイド機構を設けて、揚網機の位置を変えることも提案されているが、直線ガイド機構が傾動マストの先部に取付けられると、重心位置が高くなって船体が不安定になるという問題があった。
【０００４】
そこで、本出願人は先に特許文献２に示すように、先部に揚網機が取付けられた傾動マストの中間部に配置されて、揚網機で揚げた漁網をガイドする揚網補助ローラ装置を提案した。この揚網補助ローラ装置においては、半径方向外側に向けてその隙間距離が徐々に拡大する対となる側板を備えた鍔付きローラが、水平方向から斜め下方に傾動し、ガイドした漁網を落下させるようになっている。
【０００５】
【特許文献１】特開２０００−３５０５３５号公報（図１、図３）
【特許文献２】特開２００６−０２５７８０号公報
【発明の開示】
【発明が解決しようとする課題】
【０００６】
しかしながら、特許文献２記載の揚網機及び揚網方法においては、揚網機（パワーブロック）への漁網の進入方向によっては、パワーブロックの傾き等の影響によって、揚網機のＶドラムより出た漁網が捩れる傾向がある。揚網補助ローラを介する揚網では、荒天時に傾動マストを下げることができ、低重心での安全操業に寄与しているものの、揚網機から揚網補助ローラに進行する漁網は、傾動マストに大凡平行に移動していくため、漁網の捩れが真下に降りる場合に比べて取れにくいか増大するという問題があった。
【０００７】
本発明はかかる事情に鑑みてなされたもので、荒天時でも、漁網の積み作業が安全で、短時間に行なえ、船の安定性も向上でき、更には揚網時に漁網の捩れを最小限にすることも可能な揚網補助ローラ装置及び揚網方法を提供することを目的とする。
【課題を解決するための手段】
【０００８】
前記目的に沿う第１の発明に係る揚網補助ローラ装置は、先部に揚網機が取付けられた傾動マストの中間部に配置されて、前記揚網機で揚げた漁網をガイドする揚網補助ローラ装置であって、前記傾動マストの中間部にピン継手を介して股部が取付けられ、下側に該股部の左右端に連結される左脚部及び右脚部を備えた吊下げ部材と、前記左脚部及び前記右脚部の下部にそれぞれ回転可能に取付けられた左鍔付きローラ及び右鍔付きローラとを備え、しかも、前記左脚部及び前記右脚部のいずれか一方又は双方に、その上部位置又は中間位置で油圧駆動源によってその下側部分が外側に折れ曲がる中折れ部を有し、前記中折れ部が中折れしない状態（即ち、直線状となった状態）で左右に分割された前記左鍔付きローラと前記右鍔付きローラが一体となって、前記漁網をガイドする揚網補助ローラとなり、前記中折れ部でその下側部分が外側に折れ曲がって、ガイドされていた前記漁網を前記揚網補助ローラから落下させる。
【０００９】
なお、本発明において、左鍔付きローラ及び右鍔付きローラのローラ部の外径は同一で同一軸心上にあるのが好ましいが、少しの範囲（例えば、大径のローラ部の外径の２０％以内の範囲で小径のローラ部の外径が小さい場合）や左鍔付きローラ及び右鍔付きローラのローラ部の軸心が少しの範囲で異なる場合も本発明は適用可能である。
【００１０】
また、第２の発明に係る揚網補助ローラ装置は、第１の発明に係る揚網補助ローラ装置において、前記左鍔付きローラ及び前記右鍔付きローラのいずれか一方は、油圧モータにより回転駆動され、他方は自由に回転可能である。これによって、ガイドする漁網の一部に送りをかけることができる
【００１１】
第３の発明に係る揚網補助ローラ装置は、第１の発明に係る揚網補助ローラ装置において、前記左鍔付きローラ及び前記右鍔付きローラの双方は、油圧モータにより回転駆動されている。これによって、ガイドする漁網に送りをかけることができると共に、左鍔付きローラ及び右鍔付きローラを駆動する油圧モータの回転数を変えて、漁網の左右の送りを変え、漁網の捩れを解消できる。
【００１２】
第４の発明に係る揚網補助ローラ装置は、第１〜第３の発明に係る揚網補助ローラ装置において、前記吊下げ部材は、前記傾動マストに基部が取付けられ、第１の油圧シリンダによってその取付け角度が変わるスイングアームの先部に前記ピン継手を介して取付けられている。
【００１３】
第５の発明に係る揚網補助ローラ装置は、第４の発明に係る揚網補助ローラ装置において、前記スイングアームは、前記傾動マストの直下位置の範囲で傾動し、前記揚網補助ローラを前記傾動マストに沿って移動可能としている。
第４、第５の発明に係る揚網補助ローラ装置においては、揚網補助ローラの位置を操業状態に合わせて変えることができる。
【００１４】
第６の発明に係る揚網補助ローラ装置は、第４、第５の発明に係る揚網補助ローラ装置において、前記ピン継手は、該ピン継手の第１のピンと直交する第２のピンによって前記スイングアームの先部に取付けられ、しかも前記ピン継手は第２の油圧シリンダによって前記第２のピンを中心として回動可能に前記スイングアームの先部に取付けられている。これによって、揚網補助ローラを傾動マストの直下面で第２のピンを中心にして傾けることができる。
【００１５】
第７の発明に係る揚網補助ローラ装置は、第１〜第６の発明に係る揚網補助ローラ装置において、前記揚網補助ローラは、中央のローラ部の中心で前記左鍔付きローラと前記右鍔付きローラとに分離されている。これによって漁網の左右に均等に左鍔付きローラと右鍔付きローラのローラ部が接することができる。
【００１６】
第８の発明に係る揚網補助ローラ装置は、第１〜第６の発明に係る揚網補助ローラ装置において、前記揚網補助ローラは、中央のローラ部の中心より右側又は左側に偏って前記左鍔付きローラと前記右鍔付きローラとに分離されている。
これによって左鍔付きローラと右鍔付きローラのローラ部が左右の漁網に接する面積を変えることができる。
【００１７】
そして、第９の発明に係る揚網方法は、先部に揚網機が取付けられた傾動マストの中間部に、第１〜第８の発明に係る揚網補助ローラ装置を設け、漁網を前記揚網機を介して網台の船首側から船尾側に複数山に積み重ね、前記漁網を前記網台の船尾側に積み重ねる場合には、前記揚網補助ローラを左右に分離し、前記漁網を前記揚網補助ローラから外し、前記揚網機を用いて揚網作業を行う。
【発明の効果】
【００１８】
本発明に係る揚網補助ローラ装置及び揚網方法においては、先部に揚網機が取付けられた傾動マストの中間部に配置されて、揚網機で揚げた漁網をガイドする揚網補助ローラ装置であるので、網台の船首側に漁網を積む場合、傾動マストの先部に取付けられた揚網機を介して巻き上げられた漁網を、更に、揚網補助ローラを経由して、網台上に降下させることができる。続けて、網台の船尾側に漁網を積む場合、揚網補助ローラを左鍔付きローラと右鍔付きローラとに隙間を設けて分離すると、その隙間から漁網を落下させることによって、漁網を揚網補助ローラから取り外すことにより揚網機だけで漁網を網台上に降下させることができる。従って、傾動マストの傾斜角度を小さく保持したまま、網台の船首側から船尾側までの揚網作業ができるので、船の重心位置を低く保つことができ、この結果、安全性及び作業性が向上する。
【００１９】
更には、揚網補助ローラが、分離可能な左鍔付きローラと右鍔付きローラとからなっているので、漁網が載っている左鍔付きローラと右鍔付きローラのローラ部の回転を変える（フリーの場合と油圧モータによって駆動する場合がある）ことができ、漁網の捩れを修正したり、漁網が捩れ難いように揚網することが可能となる。
【発明を実施するための最良の形態】
【００２０】
続いて、添付した図面を参照しつつ、本発明を具体化した実施の形態につき説明し、本発明の理解に供する。
ここに、図１は本発明の第１の実施の形態に係る揚網補助ローラ装置が使用された海外巻網漁船の側面図、図２は同海外巻網漁船の部分拡大図、図３は本発明の第１の実施の形態に係る揚網補助ローラ装置の側面図、図4（Ａ）、（Ｂ）はそれぞれ同揚網補助ローラ装置の主要部分の正面図、図５は同揚網補助ローラ装置の一部切欠き正面図、図６（Ａ）、（Ｂ）はそれぞれ本発明の第２、第３の実施の形態に係る揚網補助ローラ装置の主要図の正面図、図７（Ａ）、（Ｂ）はそれぞれ本発明の第４、第５の実施の形態に係る揚網補助ローラ装置の主要図の正面図である。
【００２１】
図１〜図５に示すように、本発明の第１の実施の形態に係る揚網補助ローラ装置１０は、揚網機（パワーブロック）１１で揚げた漁網１２を網台１３へガイドする装置である。この実施の形態においては、揚網補助ローラ装置１０は漁船の一例である海外巻網漁船１４の船尾部１６に設けられ、先部に揚網機１１が取付けられた傾動マスト１７の先側中間部に配置されている。
【００２２】
図３、図４に示すように、揚網補助ローラ装置１０は、傾動マスト１７の中間部に設けられた取付け金具１８にその基部がピン１８ａを介して回動可能に取付けられるスイングアーム１９と、スイングアーム１９の先部にピン継手２０を介して取付けられる吊下げ部材２１と、吊下げ部材２１に取付けられる揚網補助ローラ２２とを有している。
【００２３】
スイングアーム１９は、基部に基部金具２４が取付けられ、先部に先部金具２５が取りつけられた棒状材２６と、棒状材２６の表裏にそれぞれ取付け金具２７、２８を介してその基側がピン連結された第１、第２の油圧シリンダ２９、３０を有している。第１の油圧シリンダ２９のロッド３１の先部は取付け金具１８に所定角度（傾動マスト１７に対して約４０〜５０度）に傾斜して設けられた固定金具３２にピン３３を介して回動自在に取付けられ、第１の油圧シリンダ２９の伸縮によって、スイングアーム１９がピン１８ａを介して傾動マスト１７の直下を、図２、図３に二点鎖線で示すように回動するようになっている。
【００２４】
また、第２の油圧シリンダ３０のロッドの先部には、直線ガイド機構３５とショックアブゾーバ３６が設けられ、更にショックアブゾーバ３６の先部は、先部金具２５にピン３７（第２のピン）を介して回動可能に取付けられているピン継手２０の一方に回動可能に取付けられている。第２の油圧シリンダ３０を伸ばすことによって、ピン継手２０の他方にピン３８（第１のピン）を介して取付けられた吊下げ部材２１及び揚網補助ローラ２２が、傾動マスト１７の直下位置の２点鎖線ｘ、ｙで示される間で、ピン３７を中心として回動できるようになっている。なお、２点鎖線ｙは揚網補助ローラ２２の収納位置を示す。また、ピン３７とピン３８は直交状態となって、ピン継手２０が回動しても、揚網補助ローラ２２はピン３８を中心にして回動しない構造となっている。
【００２５】
次に、図４、図５を参照しながら、吊下げ部材２１及びこれに取付けられた揚網補助ローラ２２について説明する。
ピン３８を介してピン継手２０に回動自在に取付けられている吊下げ部材２１は、中央の股部４０と、その両側に一体的に設けられた左脚部４１及び右脚部４２を有している。そして、左脚部４１の下部には左鍔付きローラ４３が回動可能に、右脚部４２には右鍔付きローラ４４が回動可能に取付けられている。この左鍔付きローラ４３及び右鍔付きローラ４４はローラ部４５、４６が軸心を合わせた状態で、一つの揚網補助ローラ２２となっている。
【００２６】
この実施の形態では、右脚部４２の中間位置に（又は上部位置に）外側に折れ曲がる中折れ部４７を有し、図４（Ｂ）に示すように、右鍔付きローラ４４が油圧駆動源の一例である第３の油圧シリンダ４８を有する油圧回動機構４９によって、半時計方向に０度位置から３０〜４５度位置まで右脚部４２の下側部分４２ａ（中折れ部４７より下側にある部分）が外側に回動するようになっている。この油圧回動機構４９は、中折れ部４７を跨がって配置された第３の油圧シリンダ４８と、第３の油圧シリンダ４８のテイル側を固定状態の右脚部４２の上側部分に固定する取付け金具５０と、第３の油圧シリンダ４８のロッド側を固定側の右脚部４２の下側部分４２ａにピン５１ａを介して連結する取付け金具５２とを有している。
【００２７】
従って、第３の油圧シリンダ４８を伸ばすと、中折れ部４７が直線状（即ち、右脚部４２が直線状）となって、ローラ部４６が水平状態となって、ローラ部４５、４６の軸心が一致する。なお、右鍔付きローラ４４の回動中心は、ローラ部４５の上端より上位置にあって、第３の油圧シリンダ４８を縮めると、ローラ部４６がローラ部４５に接することなく回動し、傾斜状態となる。
【００２８】
左鍔付きローラ４３は、図５に示すように、左脚部４１の下端に固定された固定フレーム５４と、固定フレーム５４に取付けられた油圧モータ５５と、油圧モータ５５の出力軸５６に取付けられた左側ドラム５７と、固定フレーム５４に取付けられた漁網巻き込み防止部材５８とを有している。
【００２９】
固定フレーム５４は円筒箱５９と、円筒箱５９と軸心を合わせて配置される大小の断面円形の環状ガイド６０、６１と、円筒箱５９と環状ガイド６０の間に放射状に配置されて円筒箱５９と環状ガイド６０とを連結する複数（通常３〜６本）の支持部材６２とを有している。なお、大小の環状ガイド６０、６１は内径が同一になるように並べて配置され、それぞれは溶接によって接合されている。
【００３０】
フランジ取付け型の油圧モータ５５は円筒箱５９の底板６３に固着され、その出力軸５６が底板６３の中央から外側に突出している。
左側ドラム５７は、お碗状の鍔部６５と、鍔部６５の中央にその一端が固着されたローラ部（直胴部）４５と、鍔部６５の中央に配置されて出力軸５６に固定されたボス６６と、ボス６６と鍔部６５の内側を連接する放射配置された複数本の支持部材６７とを有している。
【００３１】
縦断面が円形のお碗状の鍔部６５の外側端部６８は円筒状となって、その一部が環状ガイド６０、６１に部分的に嵌入している。また、鍔部６５の外側端部６８と環状ガイド６０、６１との間には僅少（例えば、１〜５ｍｍ）の隙間を有し、左側ドラム５７が円滑に回転可能となっている。また、円筒状のローラ部４５の他方側には環状蓋（盲蓋であってもよい）６９が設けられている。
【００３２】
右鍔付きローラ４４は通常は左鍔付きローラ４３と対称配置され、ローラ部４６の長さ以外は左鍔付きローラ４３と全く同一な構造となって、図４（Ａ）、（Ｂ）に示すように、右脚部４２の下端に固定された固定フレーム７０と、固定フレーム７０に取付けられた油圧モータ７１と、油圧モータ７１の出力軸に取付けられた右側ドラム７２と、固定フレーム７０に取付けられた漁網巻き込み防止部材７３とを有している。油圧モータ７１で回転駆動される右側ドラム７２は固定フレーム７０の一部を構成する大小の環状ガイド７５、７６と僅少の隙間を有して回転できる構成となっている。
【００３３】
漁網巻き込み防止部材５８、７３は溝形状となって、固定フレーム５４、７０にそれぞれ取付けられ、左鍔付きローラ４３及び右鍔付きローラ４４に載った漁網１２が、左脚部４１と左鍔付きローラ４３の間、及び右脚部４２と右鍔付きローラ４４との間等に食い込まないようになっている。
【００３４】
右脚部４２に取付けられている右鍔付きローラ４４は、前述のように、第３の油圧シリンダ４８を駆動（伸長）すると、図４（Ａ）に示すように、左鍔付きローラ４３のローラ部４５と、右鍔付きローラ４４のローラ部４６の軸心が一致して、一つの揚網補助ローラ２２となる。この場合、左右のローラ部４５、４６の間は僅少の隙間δ（例えば０．５〜３ｍｍ）が設けられて、左側ドラム５７及び右側ドラム７２が独立に油圧モータ５５、７１によって回転駆動できるようになっている。これによって、揚網補助ローラ２２によってガイドされる漁網１２の捩れ等を修正しながら、漁網１２をガイドできる。
【００３５】
一方、図４（Ｂ）に示すように、第３の油圧シリンダ４８を縮めると、右脚部４２の下側部分４２ａがピン５１を中心にして外側に開き、右鍔付きローラ４４もピン５１を中心にしてローラ部４６が下向き傾斜し、ローラ部４５、４６の間に十分な隙間が形成され、揚網補助ローラ２２にガイドされていた漁網１２が下方に落下し、揚網補助ローラ２２から外れるようになっている。
【００３６】
それぞれのローラ部４５、４６の長さａ、ｂはこの実施の形態では、ａ＜ｂとなって、ａ＝（０〜０．７）ｂとなっている。これによって、主として長いローラ部４６で漁網１２をガイドし、他方のローラ部４５は漁網１２にそのまま送りを掛けたり、漁網１２の捩じりを修正する場合に使用できる。
【００３７】
なお、この実施の形態において、左鍔付きローラ４３の油圧モータ５５の代わりに自由に回転できる軸（出力軸）とその軸受とを用いることもできる。これによって、左側ドラム５７が自由回転となり、右側ドラム７２の駆動によってのみガイドされる。これはローラ部４５の長さがローラ部４６の長さに比較して短い場合、又はローラ部４５の長さが０の場合に、特にメリットがあり、機器の簡略を行うことができる。
【００３８】
次いで、揚網補助ローラ装置１０を用いた本発明の第１の実施の形態に係る揚網方法について、図を参照しながら説明する。
図１に示すように、先部に揚網機１１が取付けられた傾動マスト１７を備えた海外巻網漁船１４を岸壁に接岸させる。次に、傾動手段により傾動マスト１７を傾動させて、傾動マスト１７の中間部の所定の位置に、揚網補助ローラ２２を備えた揚網補助ローラ装置１０を取付ける。具体的には、以下の通りとする。
【００３９】
先部に揚網機１１が設けられている傾動マスト１７に、揚網補助ローラ装置１０を取付ける位置は、図１に示すように、傾動マスト１７を例えば傾動角度α＝３０°として、揚網機１１及び揚網補助ローラ装置１０を介して巻き上げられる漁網１２が降下する位置が、網台１３上での漁網１２の積み始め位置となるようにする。なお、従来のように、揚網機１１のみで漁網１２を揚げる場合には、傾動マスト１７の傾動角度は５０度となる。このように、本発明方法の場合は傾動マスト１７の傾斜角度が小さく、船体全体の重心位置が下がる。
【００４０】
揚網補助ローラ装置１０の取付け方法は、図２及び図３に示すように、取付け金具１８を傾動マスト１７に溶接により固定し、取付け金具１８と基部金具２４とをピン１８ａにより連結する。海外巻網漁船１４を操業する海域に移動し、漁網１２を海中に投入して、別途手段により、漁網１２中に魚を取り込む。
【００４１】
図１に示すように、傾動マスト１７の傾動角度を小さく、例えばα＝３０°に固定し、まず揚網機１１の巻胴及び揚網補助ローラ装置１０の揚網補助ローラ２２を駆動して、漁網１２を巻き上げ、揚網補助ローラ２２を経由して降下してくる漁網１２を作業者が網台１３上で広げて長手方向に短く折り返して重ねながら山状とし、船首側から船尾側に沿って２〜３個の山にして並べる。この際、揚網補助ローラ２２はスイングアーム１９によって移動できるので、網台１３上で漁網１２を広げて並べる作業が容易にできる。
【００４２】
網台１３の船首側での漁網１４の積み重ね作業が終了すると、図４（Ａ）に示すように、揚網補助ローラ２２の第３の油圧シリンダ４８を駆動して右鍔付きローラ４４を下向きに傾けて漁網１２を左鍔付きローラ４３及び右鍔付きローラ４４から外し、網台１３の船尾側での漁網１２の積み重ねを揚網機１１のみで行なう。
【００４３】
上述の方法においては、傾動マスト１７を固定したままで操業したが、状況に応じて、傾動マスト１７を微調整のため傾動させることもある。また、必要に応じて、積み重ね作業の途中で、漁網１２を揚網補助ローラ２２から外し、その後は、揚網機１１のみで巻き上げを行なうこともある。
なお、揚網機１１は使用しない場合は、傾動マスト１７に取付けられたウインチ７８とワイヤロープ７８ａ及びガイド車（シーブ）７８ｂによって、図２に２点鎖線で示すように、傾動マスト１７側に引っ張り固定しておく。
【００４４】
続いて、図６（Ａ）、（Ｂ）を参照しながら、本発明の第２、第３の実施の形態に係る揚網補助ローラ装置８０、８６について説明する。図６（Ａ）に示す揚網補助ローラ装置８０は、第１の実施の形態に係る揚網補助ローラ装置１０と基本的構成は同一であるが、左鍔付きローラ８１と右鍔付きローラ８２のローラ部８３、８４の長さが同一となっている。なお、他の部分は第１の実施の形態に係る揚網補助ローラ装置１０と同一なので、同一の構成要素には同一の番号を付して詳しい説明を省略する。
【００４５】
また、図６（Ｂ）に示す揚網補助ローラ装置８６は、右鍔付きローラ８７だけでなく左鍔付きローラ８８も傾動するようになっている。左鍔付きローラ８８を傾動させる油圧回動機構８９は右鍔付きローラ８７を傾動させる油圧回動機構４９と同一となっている。右鍔付きローラ８７のローラ部９０と左鍔付きローラ８７のローラ部９１とは同一長さとなって、軸心を合わせた場合、僅少の隙間を有して配置されるが、ローラ部９０とローラ部９１の長さを変えることもできる。
【００４６】
図７（Ａ）には、本発明の第４の実施の形態に係る揚網補助ローラ装置９４を示すが、左鍔付きローラ９５と右鍔付きローラ９６のローラ部９７、９８の長さが異なり（同一であってもよい）、ローラ部９８と向かい合うローラ部９７の端部は円筒状となって、ローラ部９７と向かい合うローラ部９８の端部にローラ部９７の端部に僅少の隙間（０．５〜３ｍｍ）を有して嵌入する凸部（小径円筒部）９９が設けられている。これによって、ローラ部９７、９８の間に漁網１２が食い込むのを無くすことができる。
【００４７】
第４の実施の形態に係る揚網補助ローラ装置９４においては、右鍔付きローラ９６のみが傾動可能であったが、図７（Ｂ）に示す本発明の第５の実施の形態に係る揚網補助ローラ装置１００においては、左鍔付きローラ９５と右鍔付きローラ９６の何れもが、油圧回動機構８９、４９によって傾動可能となっている。これによって、確実かつ短時間のうちに揚網補助ローラによってガイドされていた漁網を下方に落下させることができる。
【００４８】
本発明は、前記した第１〜第５の実施の形態に係る揚網補助ローラ装置の各要素を組み換えて使用する場合も本発明は適用される。
また、本発明において、特に必要のない場合はスイングアーム１９を省略することもできる。更に、第２の油圧シリンダ３０を設けて、揚網補助ローラ２２のみを回動させて、揚網補助ローラ２２を収納できる収納機構を設けているが、この収納機構を省略した場合も、本発明は適用される。
【図面の簡単な説明】
【００４９】
【図１】本発明の第１の実施の形態に係る揚網補助ローラ装置が使用された海外巻網漁船の側面図である。
【図２】同海外巻網漁船の部分拡大図である。
【図３】本発明の第１の実施の形態に係る揚網補助ローラ装置の側面図である。
【図４】（Ａ）、（Ｂ）はそれぞれ同揚網補助ローラ装置の主要部分の正面図である。
【図５】同動揚網補助ローラ装置の一部切欠き正面図である。
【図６】（Ａ）、（Ｂ）はそれぞれ本発明の第２、第３の実施の形態に係る揚網補助ローラ装置の主要図の正面図である。
【図７】（Ａ）、（Ｂ）はそれぞれ本発明の第４、第５の実施の形態に係る揚網補助ローラ装置の主要図の正面図である
【符号の説明】
【００５０】
１０：揚網補助ローラ装置、１１：揚網機、１２：漁網、１３：網台、１４：海外巻網船、１６：船尾部、１７：傾動マスト、１８：取付け金具、１８ａ：ピン、１９：スイングアーム、２０：ピン継手、２１：吊下げ部材、２２：揚網補助ローラ、２４：基部金具、２５：先部金具、２６：棒状材、２７、２８：取付け金具、２９：第１の油圧シリンダ、３０：第２の油圧シリンダ、３１：ロッド、３２：固定金具、３３：ピン、３５：直線ガイド機構、３６：ショックアブゾーバ、３７、３８：ピン、４０：股部、４１：左脚部、４２：右脚部、４２ａ：下側部分、４３：左鍔付きローラ、４４：右鍔付きローラ、４５、４６：ローラ部、４７：中折れ部、４８：第３の油圧シリンダ、４９：油圧回動機構、５０：取付け金具、５１、５１ａ：ピン、５２：取付け金具、５４：固定フレーム、５５：油圧モータ、５６：出力軸、５７：左側ドラム、５８：漁網巻き込み防止部材、５９：円筒箱、６０、６１：環状ガイド、６２：支持部材、６３：底板、６５：鍔部、６６：ボス、６７：支持部材、６８：外側端部、６９：環状蓋、７０：固定フレーム、７１：油圧モータ、７２：右側ドラム、７３：漁網巻き込み防止部材、７５、７６：環状ガイド、７８：ウインチ、７８ａ：ワイヤロープ、７８ｂ：ガイド車、８０：揚網補助ローラ装置、８１：左鍔付きローラ、８２：右鍔付きローラ、８３、８４：ローラ部、８６：揚網補助ローラ装置、８７：右鍔付きローラ、８８：左鍔付きローラ、８９：油圧回動機構、９０、９１：ローラ部、９４：揚網補助ローラ装置、９５：左鍔付きローラ、９６：右鍔付きローラ、９７、９８：ローラ部、９９：凸部、１００：揚網補助ローラ装置
【図１】
2010068737.tif 000003
【図２】
2010068737.tif 000004
【図３】
2010068737.tif 000005
【図４】
2010068737.tif 000006
【図５】
2010068737.tif 000007
【図６】
2010068737.tif 000008
【図７】
2010068737.tif 000009